(57)【要約】【課題】下肢の筋肉のスポーツ疲労の早期回復に有効なスポーツ用弾性ストッキングの提供。【解決手段】下腿部２１の足首２２側を覆う足首側覆い部１２と、足２３側を覆うべく足首側覆い部１２から延設された足側覆い部１３と、膝下のふくらはぎ２７側を覆うべく足首側覆い部１２から延設されたふくらはぎ側覆い部１８とを少なくとも備え、足側覆い部１３には、着用時に爪先部分２３ａ側を露出させる爪先側切除部１４と、くるぶし２４の一部を含む踵部分２３ｂを大きく露出させる踵側切除部１６とを設けるとともに、これら爪先側切除部１４から踵側切除部１６へと至る部位の周方向には、その着用時に足弓部位２６側を持ち上げる弾性が付与された抱持部１７を設けた。【選択図】図２
0003145106.tif 000002
【実用新案登録請求の範囲】
【請求項１】
人体の足首側を覆う足首側覆い部と、足側を覆うべく前記足首側覆い部から延設された足側覆い部と、膝下のふくらはぎ側を覆うべく前記足首側覆い部から延設されたふくらはぎ側覆い部とを少なくとも備え、
前記足側覆い部には、着用時に爪先部分側を露出させる爪先側切除部と、くるぶしの一部を含む踵部分を大きく露出させる踵側切除部とを設けるとともに、これら爪先側切除部から踵側切除部へと至る部位の周方向には、その着用時に足弓部位側を持ち上げる弾性を付与した抱持部を設けたことを特徴とするスポーツ用弾性ストッキング。
【請求項２】
前記抱持部の着圧を１３〜１５ｍｍＨｇとし、前記足首側覆い部の着圧を１６〜２０ｍｍＨｇとするとともに、前記ふくらはぎ側覆い部の着圧は、膝下近傍が最終的に１３〜１５ｍｍＨｇとなるように前記足首側覆い部から徐々にその着圧を減少させた請求項１に記載のスポーツ用弾性ストッキング。
【請求項３】
糸使いは、ポリウレタン弾性糸に吸湿ナイロン糸をカバーリングしたカバードヤーンである請求項１または２に記載のスポーツ用弾性ストッキング。
【考案の詳細な説明】
【技術分野】
【０００１】
本考案は、下肢の筋肉のスポーツ疲労の回復に有効なスポーツ用弾性ストッキングに関する技術である。
【背景技術】
【０００２】
近年、人々は、メタボリックシンドローム対策を含む健康維持の観点から、例えばジョギングやウオーキングなどの各種スポーツに積極的に取り組む傾向を強めてきている。
【０００３】
また、このようなスポーツを行う人々に対しては、外傷の予防やけがの再発防止のほか、筋肉疲労の早期回復を図るなどの必要から、例えば特許文献１に開示されている下腿部保護用衣料を含む各種のスポーツ用サポーターが提供されるようになってきている。
【特許文献１】特許第２７６１４６８号公報
【０００４】
この場合、上記特許文献１に開示されている下腿部保護用衣料は、同文献中の図２および図３にも示されているように、着用時に足の爪先部分を露出させる爪先側切除部と、踵部位を露出させる踵側切除部とを備えてその全体形状が形成されている。
【０００５】
また、上記特許文献１の下腿部保護用衣料は、膝関節下部傍から足首近傍までが筒状となっており、着用時に足の爪先部分を露出させるための爪先側切除部と、踵部位を露出させるための踵側切除部とを備えて形成されている。
【０００６】
さらに、上記下腿部保護用衣料は、内くるぶしと外くるぶしとを迂回して膝関節下部近傍まで至る緊締力の強い強面状部とし、くるぶし部分を緊締力の弱い弱面状部とすることで、運動中にくるぶしが擦れる不快感をなくして良好な着用感が得られるようになっている。
【考案の開示】
【考案が解決しようとする課題】
【０００７】
しかし、上記特許文献１に開示されている下腿部保護用衣料は、緊締力の弱い弱面状部であるとはいいながらも、着用時にくるぶし部分を覆うことになり、運動時におけるアキレス腱部位の可動域を含む自由度がそれだけ制約を受けてしまうという不都合がある。
【０００８】
また、上記特許文献１に開示されている下腿部保護用衣料を含む従来技術には、外傷の予防やけがの再発防止などに効果を発揮するするものではあっても、下肢の筋肉のスポーツ疲労の早期回復には必ずしも有効に寄与し得ないという不具合もあった。
【０００９】
本考案は、上記特許文献１を含む従来技術にみられた上記課題に鑑み、下肢の筋肉のスポーツ疲労の早期回復に有効なスポーツ用弾性ストッキングを提供することに目的がある。
【課題を解決するための手段】
【００１０】
本考案は、上記目的を達成すべくなされたものであり、人体の足首側を覆う足首側覆い部と、足側を覆うべく前記足首側覆い部から延設された足側覆い部と、膝下のふくらはぎ側を覆うべく前記足首側覆い部から延設されたふくらはぎ側覆い部とを少なくとも備え、前記足側覆い部には、着用時に爪先部分側を露出させる爪先側切除部と、くるぶしの一部を含む踵部分を大きく露出させる踵側切除部とを設けるとともに、これら爪先側切除部から踵側切除部へと至る部位の周方向には、その着用時に足弓部位側を持ち上げる弾性を付与した抱持部を設けたことを最も主要な特徴とする。
【００１１】
この場合、前記抱持部の着圧を１３〜１５ｍｍＨｇとし、前記足首側覆い部の着圧を１６〜２０ｍｍＨｇとするとともに、前記ふくらはぎ側覆い部の着圧は、膝下近傍が最終的に１３〜１５ｍｍＨｇとなるように前記足首側覆い部から徐々にその着圧を減少させるのが好ましい。
【００１２】
さらに、糸使いは、ポリウレタン弾性糸に吸湿ナイロン糸をカバーリングしたカバードヤーンとするのが望ましい。
【考案の効果】
【００１３】
本考案によれば、着用時に爪先部分側を露出させる爪先側切除部と、くるぶしの一部を含む踵部分を大きく露出させる踵側切除部とのほか、着用時に足弓部位側を持ち上げる抱持部をも備えているので、その使用時に爪先部分と踵部分とを露出させて滑らないように靴底にしっかりとフィットさせ、かつ、アキレス腱部位の可動域をそれだけ広く確保できるほか、足弓部位を持ち上げて血流の静脈還流量を増大させることにより脱酸化ヘモグロビンを減少させて下肢の筋肉のスポーツ疲労の回復を早めてやることもできる。
【００１４】
また、抱持部の着圧を１３〜１５ｍｍＨｇとし、足首側覆い部の着圧を１６〜２０ｍｍＨｇとするとともに、ふくらはぎ側覆い部の着圧を膝下近傍が最終的に１３〜１５ｍｍＨｇとなるように前記足首側覆い部から徐々にその着圧を減少させてある場合には、血流の静脈還流をより増大させて脱酸化ヘモグロビンを確実に減少させて下肢の筋肉のスポーツ疲労の効果的な回復を図ることができる。
【００１５】
さらに、糸使いをポリウレタン弾性糸に吸湿ナイロン糸をカバーリングしたカバードヤーンとした場合には、着用時に蒸れないほか、その着脱も短時間でより円滑に行うことができる。
【考案を実施するための最良の形態】
【００１６】
図１は、本考案の一例を長さ方向での前後の中心位置を折り目として平らに折り畳んだ状態で示す側面図であり、図２は、これを左足に着用した際の状態を示す要部斜視図である。
【００１７】
これらの図によれば、スポーツ用弾性ストッキング１１は、人体の左右の下腿部２１側を覆うものであり、具体的には、足首２２側を覆う着圧が１６〜２０ｍｍＨｇ程度の足首側覆い部１２と、足２３側を覆うべく足首側覆い部１２から延設された足側覆い部１３と、膝下側のふくらはぎ２７側を覆うべく足首側覆い部１２から延設されたふくらはぎ側覆い部１９とを備え、糸使いをポリウレタン弾性糸に吸湿ナイロン糸をカバーリングしたカバードヤーンとした丸編みにより編成されている。
【００１８】
この場合、スポーツ用弾性ストッキング１１は、その総丈が４４．５〜４６．５（±１０％）ｃｍで、足首側覆い部１２とふくらはぎ側覆い部１９とを合わせた丈が３１．５〜３２．５（±１０％）ｃｍで、足側覆い部１３の丈が７．５〜８．０（±１０％）ｃｍとなるようにして編成されている。
【００１９】
一方、足首側覆い部１２は、平らに折り畳んだ際の横幅が７．５〜７．８（±１０％）ｃｍとなるようにして編成されている。
【００２０】
また、足側覆い部１３は、着用時に足２３の爪先部分２３ａ側を露出させる爪先側切除部１４と、くるぶし２４の一部を含む踵部分２３ｂを大きく露出させる踵側切除部１６とを設けて編成されている。
【００２１】
しかも、足側覆い部１３は、爪先側切除部１４から踵側切除部１６へと至る部位の周方向に、その着用時に足弓部位２６側を持ち上げる弾性を付与した着圧が１３〜１５ｍｍＨｇ程度の抱持部１７を備えて編成されている。
【００２２】
また、これらのうち、爪先側切除部１４である裾ゴム部１５は、平らに折り畳んだ際の横幅が９．０〜９．３（±１０％）ｃｍで、これに続く抱持部１７は、平らに折り畳んだ際の横幅が７．５〜７．８（±１０％）ｃｍとなるように編成されている。
【００２３】
また、ふくらはぎ側覆い部１８の着圧は、膝下近傍が最終的に１３〜１５ｍｍＨｇとなるように、着圧が１６〜２０ｍｍＨｇ程度である足首側覆い部１２から徐々にその着圧を減少させて編成されている。
【００２４】
この場合、ふくらはぎ側覆い部１８は、平らに折り畳んだ際の最大横幅が１１．５〜１１．８（±１０％）ｃｍで、これに続く口ゴム部１９は、折り畳んだ際の横幅が９．５〜１０．０（±１０％）ｃｍとなるようにして編成されている。
【００２５】
次に、本考案の作用効果を説明すれば、その着用に際しては、口ゴム部１９側から足２３の爪先部分２３ａを送り込み、ふくらはぎ側覆い部１８と足首側覆い部１２とを経て、足側覆い部１３の爪先側切除部１４から露出させる。
【００２６】
このとき、足２３の踵部分２３ｂは、図２に示されているようにくるぶし２４（内側のくるぶしと外側のくるぶしとを含む）の一部のほか、アキレス腱部位２５の可動域を大きく確保した状態のもとで露出させることができる。
【００２７】
したがって、スポーツ用弾性ストッキング１１を着用して運動を行う際には、爪先部分２３ａと踵部分２３ｂとを露出させて滑らないように靴底にしっかりとフィットさせることができることになる。
【００２８】
しかも、足２３の足弓部位（土踏まず）２６は、抱持部１７を介して引き上げられるようにして支持させることができるので、血流の静脈還流量を増大させて筋ポンプ作用が促進され、脱酸化ヘモグロビンを減少させて下肢の筋肉のスポーツ疲労の回復を早めてやることもできる。
【００２９】
また、足首覆い部１２は、足首２２に、ふくらはぎ側覆い部１８は、膝下近傍が最終的に１３〜１５ｍｍＨｇとなるように、着圧が１６〜２０ｍｍＨｇ程度である足首側覆い部１２から徐々にその着圧を減少させてをふくらはぎ２７にそれぞれ圧接させることができるので、足首２２からふくらはぎ２７のヒラメ筋肉内に至る間の脱酸化ヘモグロビンの量を低く抑えて下肢の筋肉のスポーツ疲労の早期回復を図ることができる。
【００３０】
しかも、スポーツ用弾性ストッキング１１は、ポリウレタン弾性糸に吸湿ナイロン糸をカバーリングしたカバードヤーンとする糸使いをしているので、着用時に蒸れないという特徴のほか、その着脱も短時間でより円滑に行うことができることになる。
【００３１】
なお、スポーツ用弾性ストッキング１１は、他のスポーツ用ソックスとの組み合わせのもとで着用することで、その機能性をより高めて使用することもできる。
【図面の簡単な説明】
【００３２】
【図１】本考案の一例を長さ方向での前後の中心位置を折り目として平らに折り畳んだ状態で示す側面図。
【図２】図１に示すスポーツ用弾性ソックスを左足に着用した際の状態を示す要部斜視図。
【符号の説明】
【００３３】
１１  スポーツ用弾性ソックス
１２  足首側覆い部
１３  足側覆い部
１４  爪先側切除部
１５  裾ゴム部
１６  踵側切除部
１７  抱持部
１８  ふくらはぎ側覆う部
１９  口ゴム部
２１  下腿部
２２  足首
２３  足
２３ａ  爪先部分
２３ｂ  踵部分
２４  くるぶし
２５  アキレス腱部位
２６  足弓部位（土踏まず）
２７  ふくらはぎ
【図１】
0003145106.tif 000003
【図２】
0003145106.tif 000004